(57)【要約】【課題】システムの設計あるいは制御に有用な情報を外部に出力可能な駆動回路を提供する。【解決手段】逆起電力検出回路２３０は、コイルＬ１に生ずる逆起電力ＶＢＥＭＦを検出する。回転数検出回路２３２は、ステッピングモータ１０２の回転数ωを取得する。負荷角推定部２２２は、逆起電力ＶＢＥＭＦおよび回転数ωにもとづいて負荷角を算出する。インタフェース回路２８０は、負荷角に関する角度情報を外部に出力可能に、または角度情報に外部からアクセス可能に構成される。【選択図】図４
2020141516.tif 000002
【特許請求の範囲】
【請求項１】
ステッピングモータの駆動回路であって、
コイルに生ずる逆起電力を検出する逆起電力検出回路と、
前記ステッピングモータの回転数を取得する回転数検出回路と、
前記逆起電力および前記回転数にもとづいて負荷角を算出する負荷角推定部と、
を備え、
前記負荷角に関する角度情報を外部に出力可能に、または前記角度情報に外部からアクセス可能に構成されることを特徴とする駆動回路。
【請求項２】
前記角度情報をデジタル信号として外部に出力するインタフェース回路をさらに備えることを特徴とする請求項１に記載の駆動回路。
【請求項３】
前記角度情報をアナログ信号に変換するＤ／Ａコンバータと、
前記アナログ信号を外部に出力するバッファ回路と、
をさらに備えることを特徴とする請求項１に記載の駆動回路。
【請求項４】
前記角度情報は、脱調までの余裕度であることを特徴とする請求項１から３のいずれかに記載の駆動回路。
【請求項５】
前記角度情報は、前記負荷角そのものであることを特徴とする請求項１から３のいずれかに記載の駆動回路。
【請求項６】
電流設定値を生成する電流値設定回路と、
コイルに流れるコイル電流の検出値が前記電流設定値にもとづく目標量に近づくようにパルス変調されるパルス変調信号を生成する定電流チョッパ回路と、
前記パルス変調信号に応じて、前記コイルに接続されるブリッジ回路を制御するロジック回路と、
をさらに備えることを特徴とする請求項１から５のいずれかに記載の駆動回路。
【請求項７】
前記電流値設定回路は、前記逆起電力にもとづいて前記電流設定値を生成することを特徴とする請求項６に記載の駆動回路。
【請求項８】
前記電流値設定回路は、前記負荷角がその目標値に近づくように、前記電流設定値を生成するフィードバック制御器を含むことを特徴とする請求項６に記載の駆動回路。
【請求項９】
前記定電流チョッパ回路は、
前記コイル電流の検出値を、前記電流設定値にもとづくしきい値と比較するコンパレータと、
所定の周波数で発振するオシレータと、
前記コンパレータの出力に応じてオフレベルに遷移し、前記オシレータの出力に応じてオンレベルに遷移する前記パルス変調信号を出力するフリップフロップと、
を含むことを特徴とする請求項６から８のいずれかに記載の駆動回路。
【請求項１０】
ひとつの半導体基板に一体集積化されたことを特徴とする請求項１から９のいずれかに記載の駆動回路。
【請求項１１】
ステッピングモータと、
前記ステッピングモータを駆動する請求項１から１０のいずれかに記載の駆動回路と、
を備えることを特徴とする電子機器。
【請求項１２】
ステッピングモータの駆動方法であって、
電流設定値を生成するステップと、
コイルに流れるコイル電流の検出値が前記電流設定値にもとづく目標量に近づくようにパルス変調されるパルス変調信号を生成するステップと、
前記パルス変調信号に応じて、前記コイルに接続されるブリッジ回路を制御するステップと、
コイルに生ずる逆起電力を検出するステップと、
前記ステッピングモータの回転数を取得するステップと、
前記逆起電力および前記回転数にもとづいて負荷角を算出するステップと、
前記負荷角に関する角度情報をホストコントローラに供給するステップと、
を備えることを特徴とする駆動方法。
【発明の詳細な説明】
【技術分野】
【０００１】
本発明は、ステッピングモータの駆動技術に関する。
【背景技術】
【０００２】
ステッピングモータは、電子機器、産業機械、ロボットにおいて広く採用される。ステッピングモータは、ホストコントローラが生成する入力クロックに同期して回転する同期モータであり、起動、停止、位置決めに優れた制御性を持っている。さらにステッピングモータは、オープンループでの位置制御が可能であり、またデジタル信号処理に適するという特性を有する。
【０００３】
通常状態において、ステッピングモータのロータは、入力クロック数に比例したステップ角ずつ同期して回転する。ところが、急な負荷変動や速度変化が生ずると同期が失われる。これを脱調という。ひとたび脱調すると、その後、ステッピングモータを正常に駆動するために特別な処理が必要となるため、脱調を防止することが望まれる。
【０００４】
そこで、脱調の可能性が高い加速時および減速時においては、速度変化に対して脱調が起こらない程度に十分大きい出力トルクが得られるように、駆動電流の目標値を、固定的な値に設定する。
【０００５】
特許文献５には、脱調を防止しつつ、出力トルク（すなわち電流量）をフィードバックにより最適化することにより、消費電力を低減して効率を改善する技術が提案されている。図１は、従来のステッピングモータとその駆動回路を備えるモータシステムのブロック図である。
【０００６】
ホストコントローラ２は、駆動回路４に対して、入力クロックＣＬＫを供給する。駆動回路４は、入力クロックＣＬＫと同期して、励磁位置を変化させる。
【０００７】
図２は、励磁位置を説明する図である。励磁位置は、ステッピングモータ６の２個のコイルＬ１，Ｌ２に流れるコイル電流（駆動電流）ＩＯＵＴ１，ＩＯＵＴ２の組み合わせとして把握される。図２には、８個の励磁位置１〜８が示されている。１相励磁では、第１コイルＬ１と第２コイルＬ２に交互に電流が流れ、励磁位置２，４，６，８を遷移する。２相励磁では、第１コイルＬ１と第２コイルＬ２の両方に電流が流れ、励磁位置１，３，５，７を遷移する。１−２相励磁では、１相励磁と２相励磁の組み合わせであり、励磁位置１〜８を遷移する。マイクロステップ駆動では、さらに励磁位置が細かく制御される。
【０００８】
図３は、ステッピングモータの駆動シーケンスを説明する図である。始動時に、入力クロックＣＬＫの周波数ｆＩＮは時間とともに上昇し、ステッピングモータが加速する。そして、周波数ｆＩＮがある目標値に到達すると、一定に保たれ、ステッピングモータが定速回転する。その後、ステッピングモータを停止させる際には、入力クロックＣＬＫの周波数を低下させ、ステッピングモータを減速させる。図３の制御を台形波駆動とも称する。
【０００９】
通常状態において、ステッピングモータのロータは、入力クロック数に比例したステップ角ずつ同期して回転する。ところが、急な負荷変動や速度変化が生ずると同期が失われる。これを脱調という。ひとたび脱調すると、その後、ステッピングモータを正常に駆動するために特別な処理が必要となるため、脱調を防止することが望まれる。
【００１０】
そこで、脱調の可能性が高い加速時および減速時においては、脱調マージンを考慮した十分に大きい固定的な出力トルクが得られるように、駆動電流の目標値ＩＲＥＦを、固定的な値ＩＦＵＬＬに設定する（高トルクモード）。
【００１１】
回転数が安定し、脱調の可能性が低い状況では、駆動電流の目標値ＩＲＥＦを減少させて、効率を改善させる（高効率モード）。特許文献５には、脱調を防止しつつ、出力トルク（すなわち電流量）をフィードバックにより最適化することにより、消費電力を低減して効率を改善する技術が提案されている。具体的には逆起電力ＶＢＥＭＦにもとづいて負荷角φを推定し、負荷角φが目標値（目標角という）φＲＥＦに近づくように駆動電流（コイル電流）の目標値ＩＲＥＦがフィードバック制御される。逆起電力ＶＢＥＭＦは式（１）で表される。
ＶＢＥＭＦ＝ＫＥ×ω×ｃｏｓφ    …（１）
ωはステッピングモータの角速度（以下、回転数あるいは周波数という）であり、ＫＥは逆起電力定数であり、モータに固有のパラメータである。
【００１２】
特許文献５に記載の技術では、負荷角に応じた検出値ｃｏｓφが、その目標値ｃｏｓ（φＲＥＦ）に近づくように、フィードバックループが形成され、高効率モードにおけるコイル電流ＩＯＵＴ１，ＩＯＵＴ２が最適化される。
【先行技術文献】
【特許文献】
【００１３】
【特許文献１】特開平９−１０３０９６号公報
【特許文献２】特開２００４−１２０９５７号公報
【特許文献３】特開２０００−１８４７８９号公報
【特許文献４】特開２００４−１８０３５４号公報
【特許文献５】特許第６２５８００４号公報
【発明の概要】
【発明が解決しようとする課題】
【００１４】
特許文献５に記載のように、負荷角にもとづく電流目標値ＩＲＥＦのフィードバック制御を組み込んだ場合、定常状態では、負荷角は目標値に安定化されるが、負荷変動が生ずると、負荷角φが目標角φＲＥＦから逸脱する。
【００１５】
特許文献５に記載の駆動回路を用いたモータシステムでは、負荷角φに応じた検出値ｃｏｓφは、駆動回路の内部で生成されている。負荷角φは、システムの設計や制御に有用な情報が含まれているが、現状、駆動回路の外部からは、現在、どれくらいの負荷角でステッピングモータ６が駆動されているのかを知るすべはない。
【００１６】
本発明はかかる課題に鑑みてなされたものであり、そのある態様の例示的な目的のひとつは、システムの設計あるいは制御に有用な情報を外部に出力可能な駆動回路の提供にある。
【課題を解決するための手段】
【００１７】
本発明のある態様は、ステッピングモータの駆動回路に関する。駆動回路は、コイルに生ずる逆起電力を検出する逆起電力検出回路と、ステッピングモータの回転数を検出する回転数検出回路と、逆起電力および回転数にもとづいて負荷角を算出する負荷角推定部と、を備える。駆動回路は、負荷角に関する角度情報を外部に出力可能に、または角度情報に外部からアクセス可能に構成される。
【００１８】
負荷角φは、電気角に対する機械角の遅れと把握できる。負荷角φは、脱調までの余裕度や急激な負荷変動と相関を有するため、負荷角に関する情報を外部に出力することで、ステッピングモータの状態の推定や、制御パラメータの最適化などに有効利用できる。なお、「負荷角を算出する」とは、負荷角φ自体を算出することのほか、負荷角φと相関を有する検出値ｃｏｓφを生成することも含む。
【００１９】
駆動回路は、角度情報をデジタル信号として外部に出力するインタフェース回路をさらに備えてもよい。
【００２０】
駆動回路は、角度情報をアナログ信号に変換するＤ／Ａコンバータと、アナログ信号を外部に出力するバッファ回路と、をさらに備えてもよい。
【００２１】
角度情報は、脱調までの余裕度であってもよい。たとえば余裕度は、理想的な脱調のπ／２と負荷角φの差分であってもよいし、外部から設定した実際の脱調限界と負荷角φとの差分であってもよい。
【００２２】
角度情報は、負荷角そのものであってもよい。
【００２３】
駆動回路は、電流設定値を生成する電流値設定回路と、コイルに流れるコイル電流の検出値が電流設定値にもとづく目標量に近づくようにパルス変調されるパルス変調信号を生成する定電流チョッパ回路と、パルス変調信号に応じて、コイルに接続されるブリッジ回路を制御するロジック回路と、をさらに備えてもよい。
【００２４】
電流値設定回路は、逆起電力にもとづいて電流設定値を生成してもよい。
【００２５】
電流値設定回路は、負荷角φがその目標値φＲＥＦに近づくように、電流設定値を生成するフィードバック制御器を含んでもよい。フィードバック制御器は、負荷角φに応じた検出値ｃｏｓφが、その目標値ｃｏｓ（φＲＥＦ）に近づくように、電流設定値を生成してもよい。
【００２６】
定電流チョッパ回路は、コイル電流の検出値を、電流設定値にもとづくしきい値と比較するコンパレータと、所定の周波数で発振するオシレータと、コンパレータの出力に応じてオフレベルに遷移し、オシレータの出力に応じてオンレベルに遷移するパルス変調信号を出力するフリップフロップと、を含んでもよい。
【００２７】
駆動回路は、ひとつの半導体基板に一体集積化されてもよい。「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。回路を１つのチップ上に集積化することにより、回路面積を削減することができるとともに、回路素子の特性を均一に保つことができる。
【００２８】
なお、以上の構成要素の任意の組み合わせや本発明の構成要素や表現を、方法、装置、システムなどの間で相互に置換したものもまた、本発明の態様として有効である。
【発明の効果】
【００２９】
本発明のある態様によれば、システムの設計あるいは制御に有用な情報を外部に提供できる。
【図面の簡単な説明】
【００３０】
【図１】従来のステッピングモータとその駆動回路を備えるモータシステムのブロック図である。
【図２】励磁位置を説明する図である。
【図３】ステッピングモータの駆動シーケンスを説明する図である。
【図４】実施の形態に係る駆動回路を備えるモータシステムのブロック図である。
【図５】図５（ａ）〜（ｃ）は、インタフェース回路の構成例を示す図である。
【図６】駆動回路の構成例を示す回路図である。
【図７】電流値設定回路の別の構成例を示す図である。
【図８】ステッピングモータの電圧、電流波形図である。
【図９】図９（ａ）、（ｂ）は、逆起電力の測定を説明する図である。
【図１０】回転数が速いときのコイル電圧の波形図である。
【図１１】図１１（ａ）〜（ｃ）は、駆動回路を備える電子機器の例を示す斜視図である。
【発明を実施するための形態】
【００３１】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３２】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００３３】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３４】
本明細書において参照する波形図やタイムチャートの縦軸および横軸は、理解を容易とするために適宜拡大、縮小したものであり、また示される各波形も、理解の容易のために簡略化され、あるいは誇張もしくは強調されている。
【００３５】
図４は、実施の形態に係る駆動回路２００を備えるモータシステム１００のブロック図である。駆動回路２００は、ステッピングモータ１０２およびホストコントローラ２とともにモータシステム１００を構成する。ステッピングモータ１０２は、ＰＭ（Permanent Magnet）型、ＶＲ型（Variable Reluctance）型、ＨＢ（Hybrid）型のいずれであってもよい。
【００３６】
駆動回路２００の入力ピンＩＮには、ホストコントローラ２から入力クロックＣＬＫが入力される。また駆動回路２００の方向指示ピンＤＩＲには、時計回り（ＣＷ）、反時計回り（ＣＣＷ）を指示する方向指示信号ＤＩＲが入力される。
【００３７】
駆動回路２００は、入力クロックＣＬＫが入力されるたびに、方向指示信号ＤＩＲに応じた方向に、ステッピングモータ１０２のロータを所定角、回転させる。
【００３８】
駆動回路２００は、ブリッジ回路２０２＿１，２０２＿２、電流値設定回路２１０、逆起電力検出回路２３０、回転数検出回路２３２、負荷角推定部２２２、定電流チョッパ回路２５０＿１，２５０＿２、ロジック回路２７０、インタフェース回路２８０を備え、ひとつの半導体基板上に一体集積化される。
【００３９】
本実施の形態において、ステッピングモータ１０２は２相モータであり、第１コイルＬ１と第２コイルＬ２を含む。駆動回路２００の駆動方式は特に限定されず、１相励磁、２相励磁、１−２相励磁、あるいはマイクロステップ駆動（Ｗ１−２相駆動、２Ｗ１−２相駆動など）のいずれであってもよい。
【００４０】
第１チャンネルＣＨ１のブリッジ回路２０２＿１は、第１コイルＬ１と接続される。第２チャンネルＣＨ２のブリッジ回路２０２＿２は、第２コイルＬ２と接続される。
【００４１】
ブリッジ回路２０２＿１、２０２＿２はそれぞれ、４つのトランジスタＭ１〜Ｍ４を含むＨブリッジ回路である。ブリッジ回路２０２＿１のトランジスタＭ１〜Ｍ４は、ロジック回路２７０からの制御信号ＣＮＴ１にもとづいてスイッチングされ、それにより、第１コイルＬ１の電圧（第１コイル電圧ともいう）ＶＯＵＴ１がスイッチングされる。
【００４２】
ブリッジ回路２０２＿２は、ブリッジ回路２０２＿１と同様に構成され、そのトランジスタＭ１〜Ｍ４は、ロジック回路２７０からの制御信号ＣＮＴ２にもとづいてスイッチングされ、それにより、第２コイルＬ２の電圧（第２コイル電圧ともいう）ＶＯＵＴ２がスイッチングされる。
【００４３】
電流値設定回路２１０は、電流設定値ＩＲＥＦを生成する。ステッピングモータ１０２の始動直後は、電流設定値ＩＲＥＦはある所定値（フルトルク設定値という）ＩＦＵＬＬに固定される。所定値ＩＦＵＬＬは、電流設定値ＩＲＥＦが取り得る範囲の最大値としてもよく、この場合、ステッピングモータ１０２はフルトルクで駆動される。この状態を高トルクモードと称する。
【００４４】
ステッピングモータ１０２が安定的に回転しはじめると、言い換えると脱調のおそれが低下すると、高効率モードに遷移する。電流値設定回路２１０は高効率モードにおいて、電流設定値ＩＲＥＦを、フィードバック制御により調整し、これにより消費電力を削減する。
【００４５】
ブリッジ回路２０２＿１，２０２＿２はそれぞれ、電流検出抵抗ＲＮＦを含み、電流検出抵抗ＲＮＦの電圧降下が、コイル電流ＩＬの検出値となる。なお、電流検出抵抗ＲＮＦの位置は限定されず、電源側に設けてもよいし、ブリッジ回路の２つの出力の間に、コイルと直列に設けてもよい。
【００４６】
定電流チョッパ回路２５０＿１は、第１コイルＬ１の通電中に、第１コイルＬ１に流れるコイル電流ＩＬ１の検出値ＩＮＦ１が電流設定値ＩＲＥＦにもとづく目標量に近づくようにパルス変調されるパルス変調信号ＳＰＷＭ１を生成する。定電流チョッパ回路２５０＿２は、第２コイルＬ２に通電中に、第２コイルＬ２に流れるコイル電流ＩＬ２の検出値ＩＮＦ２が電流設定値ＩＲＥＦに近づくようにパルス変調されるパルス変調信号ＳＰＷＭ２を生成する。
【００４７】
ロジック回路２７０は、パルス変調信号ＳＰＷＭ１に応じて、第１コイルＬ１に接続されるフルブリッジ回路２０２＿１の一方の出力をスイッチングする。またロジック回路２７０は、パルス変調信号ＳＰＷＭ２に応じて、第２コイルＬ２に接続されるフルブリッジ回路２０２＿２の一方の出力をスイッチングする。
【００４８】
ロジック回路２７０は、入力クロックＣＬＫが入力される度に、励磁位置を変化させ、電流を供給するコイル（もしくはコイルのペア）を切り替える。励磁位置は、第１コイルＬ１のコイル電流と第２コイルＬ２それぞれのコイル電流の大きさと向きの組み合わせとして把握される。励磁位置は、入力クロックＣＬＫのポジエッジのみに応じて遷移してもよいし、ネガエッジのみに応じて遷移してもよいし、それらの両方に応じて遷移してもよい。
【００４９】
上述のように、電流値設定回路２１０は、（i）コイル電流の振幅を規定する電流設定値ＩＲＥＦをフルトルクに相当する大きな値に固定する高トルクモードと、（ii）電流設定値ＩＲＥＦをフィードバック制御により調整する高効率モードとが切り替え可能に構成される。
【００５０】
逆起電力検出回路２３０は、ステッピングモータ１０２のコイルＬ１（Ｌ２）に生ずる逆起電力ＶＢＥＭＦ１（ＶＢＥＭＦ２）を検出する。逆起電力の検出方法は特に限定されず、公知技術を用いればよい。一般的には逆起電力は、ある検出窓（検出区間）を設定し、コイルの両端をハイインピーダンスとし、そのときのコイルの電圧をサンプリングすることにより得ることができる。たとえば１相励磁や１−２相励磁では、逆起電力ＶＢＥＭＦ１（ＶＢＥＭＦ２）を、監視対象のコイルの一端（ブリッジ回路の出力）がハイインピーダンスとなる励磁位置（図２の２，４，６，８）ごとに、すなわち所定の励磁位置ごとに測定することができる。
【００５１】
回転数検出回路２３２は、ステッピングモータ１０２の回転数（ω）を取得し、回転数ωを示す検出信号を生成する。たとえば回転数検出回路２３２は、回転数ωの逆数に比例する周期Ｔ（＝２π／ω）を測定し、周期Ｔを検出信号として出力してもよい。脱調が生じていない状況では、入力パルスＩＮの周波数（周期）は、ステッピングモータ１０２の回転数（周期）と比例する。したがって回転数検出回路２３２は、入力パルスＩＮ、またはそれにもとづいて生成される内部信号の周期を測定し、検出信号としてもよい。
【００５２】
負荷角推定部２２２は、逆起電力ＶＢＥＭＦおよび回転数ωにもとづいて負荷角φを推定する。負荷角φは、第１コイルＬ１に流れる駆動電流で定まる電流ベクトル（つまり位置指令）と、ロータ（可動子）の位置の差に相当する。上述のように、逆起電力ＶＢＥＭＦ１は、以下の式で与えられる。
ＶＢＥＭＦ＝ＫＥ・ω・ｃｏｓφ
ＫＥは逆起電力定数、ωは回転数である。したがって、逆起電力ＶＢＥＭＦと回転数ωを測定することで、負荷角φと相関を有する検出値を生成することができる。たとえば、ｃｏｓφを検出値としてもよく、この場合、検出値は式（２）で表される。
ｃｏｓφ＝ＶＢＥＭＦ・ω−１／ＫＥ
＝ＶＢＥＭＦ・（Ｔ／２π）・ＫＥ−１      …（２）
【００５３】
駆動回路２００は、負荷角推定部２２２において得られた負荷角φに関する角度情報ＩＮＦＯを外部に出力可能に構成され、または角度情報ＩＮＦＯに外部からアクセス可能に構成される。このために駆動回路２００には、インタフェース回路２８０が設けられる。角度情報ＩＮＦＯは、ホストコントローラに供給してもよいし、その他の回路に供給してもよい。
【００５４】
角度情報ＩＮＦＯは特に限定されないが、たとえば以下のいずれかを採用することができる。
（１）角度情報ＩＮＦＯは、ｃｏｓφを用いてもよい。この場合、式（２）の演算によって計算することができる。
【００５５】
（２）角度情報ＩＮＦＯとしては、φを用いてもよい。この場合、式（３）の演算によって計算することができる。φの単位は、°であってもよいし、ラジアンであってもよい。
φ＝ａｒｃｃｏｓ（ＶＢＥＭＦ・（Ｔ／２π）・ＫＥ−１）    …（３）
【００５６】
（３）角度情報ＩＮＦＯとしては、余裕度を用いてもよい。余裕度は、脱調限界φＬＩＭと負荷角φの差分φＬＩＭ−φである。脱調限界φＬＩＭとして、理想値π／２（９０°）を用いてもよい。あるいは、脱調限界φＬＩＭとして、現実的な値を、レジスタなどによって外部から設定可能としてもよい。
【００５７】
（４）  後述のように、負荷角φを利用したフィードバック制御によって、電流設定値ＩＲＥＦを調節する場合、負荷角φと目標値φＲＥＦの誤差ＥＲＲを、角度情報ＩＮＦＯとしてもよい。
【００５８】
角度情報ＩＮＦＯはこれらに限定されず、負荷角φと相関を有する値を用いることができる。
【００５９】
インタフェース回路２８０を、イネーブル、ディセーブルを切り替え可能とし、角度情報を知りたい場合にのみ、インタフェース回路２８０をイネーブルとしてもよい。
【００６０】
図５（ａ）〜（ｃ）は、インタフェース回路２８０の構成例を示す図である。図５（ａ）のインタフェース回路２８０は、レジスタ２８２と、Ｉ２Ｃ（Inter IC）回路２８４を備える。レジスタ２８２には、所定のタイミングにおける角度情報が書き込まれる。あるいはレジスタ２８２の値は、時々刻々と変化する角度情報によって常に更新されてもよい。Ｉ２Ｃ回路２８４は、外部から当該レジスタ２８２へのアクセスを受けると、角度情報を外部に出力してもよい。Ｉ２Ｃに代えて、ＳＰＩ（Serial Peripheral Interface）やその他のトランスミッタやトランシーバを用いてもよい。
【００６１】
あるいは、インタフェース回路２８０は、外部からの要求の有無にかかわらず、常に角度情報を外部に出力してもよい。図５（ｂ）では、デジタルの角度情報がトランスミッタ２８６によって常に外部に出力される。
【００６２】
図５（ｃ）では、Ｄ／Ａコンバータ２８８によって、デジタルの角度情報がアナログ信号（電圧信号）に変換される。そして、バッファ２８９は、アナログ信号を外部に出力する。
【００６３】
図６は、駆動回路２００の構成例を示す回路図である。図６には、第１コイルＬ１に関連する部分のみが示される。
【００６４】
電流値設定回路２１０について説明する。電流値設定回路２１０は、フィードバックコントローラ２２０、フィードフォワードコントローラ２４０、マルチプレクサ２１２を含む。フィードフォワードコントローラ２４０は、始動開始直後の高トルクモードにおいて使用される固定的な電流設定値Ｉｘ（＝ＩＦＵＬＬ）を出力する。この電流設定値Ｉｘは、脱調を防止するために大きな値に設定される。
【００６５】
フィードバックコントローラ２２０は、高効率モードにおいてアクティブとなり、逆起電力ＶＢＥＭＦにもとづいてフィードバック制御される電流設定値Ｉｙを出力する。
【００６６】
マルチプレクサ２１２は、モード選択信号ＭＯＤＥに応じて、２つの信号Ｉｘ，Ｉｙの一方を選択し、電流設定値Ｉｒｅｆとして出力する。
【００６７】
図６において、負荷角推定部２２２はフィードバックコントローラ２２０に組み込まれている。フィードバックコントローラ２２０は、負荷角推定部２２２に加えて、減算器２２４、ＰＩ（比例・積分）制御器２２６を含む。
【００６８】
フィードバックコントローラ２２０は、推定された負荷角φが所定の目標角φＲＥＦに近づくように、電流設定値Ｉｙを生成する。具体的には減算器２２４は、負荷角φに応じた検出値ｃｏｓφとその目標値ｃｏｓ（φＲＥＦ）の誤差ＥＲＲを生成する。ＰＩ制御器２２６は、誤差ＥＲＲがゼロとなるようにＰＩ制御演算を行い、電流設定値Ｉｙを生成する。フィードバックコントローラ２２０の処理は、誤差増幅器を用いたアナログ回路でも実現可能である。
【００６９】
定電流チョッパ回路２５０＿１は、Ｄ／Ａコンバータ２５２、ＰＷＭコンパレータ２５４、オシレータ２５６、フリップフロップ２５８を含む。Ｄ／Ａコンバータ２５２は、電流設定値ＩＲＥＦをアナログ電圧ＶＲＥＦに変換する。ＰＷＭコンパレータ２５４は、フィードバック信号ＩＮＦ１を基準電圧ＶＲＥＦと比較し、ＩＮＦ１＞ＶＲＥＦとなると、オフ信号ＳＯＦＦをアサート（ハイ）する。オシレータ２５６は、チョッピング周波数を規定する周期的なオン信号ＳＯＮを生成する。フリップフロップ２５８は、オン信号ＳＯＮに応じてオンレベル（たとえばハイ）に遷移し、オフ信号ＳＯＦＦに応じてオフレベル（たとえばロー）に遷移するＰＷＭ信号ＳＰＷＭ１を出力する。
【００７０】
図６には、インタフェース回路２８０が省略されている。インタフェース回路２８０は、負荷角推定部２２２により生成される検出値ｃｏｓφにもとづいて角度情報ＩＮＦＯを生成することができる。
【００７１】
以上が駆動回路２００の構成である。続いてその動作を説明する。
【００７２】
（i）インタフェース回路２８０は、モータシステム１００の設計段階において、有効活用することができる。たとえば設計段階において、角度情報（負荷角φ）を監視しながら、モータの制御パラメータ（たとえば高トルクモードにおける電流値ＩＦＵＬＬや、後出の高効率モードにおける電流値ＩＬＯＷ、あるいは入力クロックＣＬＫの周波数波形など）を最適化することができる。
【００７３】
（ii）インタフェース回路２８０は、モータシステム１００の実動作時においても有効活用することができる。たとえば、高トルクモードあるいは高効率モードにおいて、角度情報を監視することにより、モータの負荷の変動や、脱調のリスクなどを判定することができる。また角度情報を監視し、それが適正範囲を逸脱していれば、エラーと判定することができる。
【００７４】
図７は、電流値設定回路２１０の別の構成例を示す図である。フィードバックコントローラ２２０は、高効率モードにおいてアクティブとなり、負荷角φが目標値φＲＥＦに近づくように値が調節される電流補正値ΔＩを生成する。電流補正値ΔＩは、高トルクモードにおいてゼロである。
【００７５】
フィードフォワードコントローラ２４０は、高効率モードにおいて、所定の高効率設定値ＩＬＯＷを出力する。ＩＦＵＬＬ＞ＩＬＯＷの関係が成り立っていてもよい。電流値設定回路２１０は、図５のマルチプレクサ２１２に代えて加算器２１４を含み、加算器２１４は、フィードフォワードコントローラ２４０が生成する高効率設定値ＩＬＯＷに、電流補正値ΔＩを加算する。これにより負荷角φが目標値φＲＥＦに近づくように、電流設定値ＩＲＥＦ＝ＩＬＯＷ＋ΔＩが調節される。
【００７６】
続いて逆起電力検出回路２３０における逆起電力ＶＢＥＭＦの検出ついて説明する。図８は、ステッピングモータ１０２の電圧、電流波形図である。図８には、上から順に、コイル電流ＩＣＯＩＬ１、第１コイルＬ１の両端間電圧ＶＯＵＴ１、コイル電流ＩＣＯＩＬ２、第２コイルＬ２の両端間電圧ＶＯＵＴ２が示される。Ｈｉ−ｚ１，Ｈｉ−ｚ２は、ブリッジ回路２０２＿１の出力ＯＵＴ１Ａ，ＯＵＴ１Ｂがハイインピーダンスの状態を示す。Ｈｉ−ｚ３，Ｈｉ−ｚ４は、ブリッジ回路２０２＿２の出力ＯＵＴ２Ａ，ＯＵＴ２Ｂがハイインピーダンスの状態を示す。逆起電力ＶＢＥＭＦは、ハイインピーダンス区間（オフ区間という）において検出される。
【００７７】
図９（ａ）、（ｂ）は、逆起電力の測定を説明する図である。逆起電力検出回路２３０は、オフ区間ＴＯＦＦの長さを、サイクルごとに測定する。そして、前のサイクル（ｉ−１）で測定したオフ区間ＴＯＦＦ（ｉ−１）をＮ分割（たとえばＮは、８、１６、あるいは３２）し、現在のサイクルｉのサンプリング間隔ΔＴｉを生成する。
ΔＴｉ＝ＴＯＦＦ（ｉ−１）／Ｎ
【００７８】
そして、ΔＴｉごとにサンプリングタイミングＴｓ１〜ＴｓＮを設け、コイルＬ１の両端間電圧ＶＯＵＴ１をサンプリングする。図９に示すように、オフ期間ＴＯＦＦｉに遷移した直後は、コイル電流ＩＣＯＩＬ１（回生電流）が流れるため、電圧ＶＯＵＴ１はＶＤＤ＋ＶＦに跳ね上がり、コイル電流ＩＣＯＩＬ１がゼロとなると、逆起電力ＶＢＥＭＦ１が現れる。
【００７９】
逆起電力検出回路２３０は、Ｎ個（たとえば８個）のサンプリングのうち、先頭から数サンプル（１〜３番目）と、後尾から数サンプル（たとえば８番目）を捨て、残ったサンプル（これらを有効サンプルという。たとえば４〜７番目）の平均値を算出する。これによりノイズの影響を低減して、正確な逆起電力ＶＢＥＭＦを取得できる。
【００８０】
図９（ｂ）は、逆起電力のサンプリングタイミングＴｓｉを説明する図である。ブリッジ回路２０２＿１がオフ期間のとき、別のブリッジ回路２０２＿２は、定電流チョッパ回路２５０＿２によってＰＷＭ制御されている。逆起電力ＶＢＥＭＦ１には、ブリッジ回路２０２＿２のスイッチングに起因するノイズが含まれている。したがって逆起電力ＶＢＥＭＦｉのサンプリングのタイミングＴｓｉ（ｉ＝１〜Ｎ）は、ブリッジ回路２０２＿２の遷移のタイミングからずれていることが好ましい。
【００８１】
定電流チョッパ回路２５０＿１，２５０＿２が生成するＰＷＭ信号ＳＰＷＭ１，ＳＰＷＭ２には最小オン時間ＴＭＩＮが設定される。そして、サンプリングタイミングＴｓｉを、ＰＷＭ信号のポジエッジから所定時間τ（＜ＴＭＩＮ）に設定することで、サンプリングタイミングＴｓｉが、ＰＷＭ信号のネガエッジと一致しないことが保証され、ノイズの影響を低減できる。
【００８２】
ステッピングモータ１０２が速くなると、オフ時間ＴＯＦＦも短くなる。図１０は、回転数が速いときのコイル電圧ＶＯＵＴ１の波形図である。上述のようにオフ期間ＴＯＦＦに遷移した直後の回生期間ＴＲＧＮの間、回生電流が流れて、コイル電圧ＶＯＵＴ１がハイ（ＶＤＤ＋ＶＦ）に張り付く。回転数が高くなるとオフ時間ＴＯＦＦが短くなる一方、回生期間ＴＲＧＮの長さは実質的に一定である。その結果、回生期間に含まれるサンプリングタイミングの個数が増えることとなる。言い換えれば、有効サンプルがハイレベルに張り付くこととなる。そこで、複数の有効サンプルのうちひとつ、あるいは複数に、ハイ（ＶＤＤ＋ＶＦ）が含まれる場合には、逆起電力の検出を無効化してもよい。
【００８３】
最後に、駆動回路２００の用途を説明する。駆動回路２００は、さまざまな電子機器に利用される。図１１（ａ）〜（ｃ）は、駆動回路２００を備える電子機器の例を示す斜視図である。
【００８４】
図１１（ａ）の電子機器は、光ディスク装置５００である。光ディスク装置５００は、光ディスク５０２と、ピックアップ５０４、を備える。ピックアップ５０４は、光ディスク５０２にデータを書き込み、読み出すために設けられる。ピックアップ５０４は、光ディスク５０２の記録面上を、光ディスクの半径方向に可動となっている（トラッキング）。また、ピックアップ５０４と光ディスクの距離も可変となっている（フォーカシング）。ピックアップ５０４は、図示しないステッピングモータにより位置決めされる。駆動回路２００は、ステッピングモータを制御する。この構成によれば、脱調を防止しながら高効率で、ピックアップ５０４を高精度に位置決めできる。
【００８５】
図１１（ｂ）の電子機器は、デジタルスチルカメラやデジタルビデオカメラ、携帯電話端末など、撮像機能付きデバイス６００である。デバイス６００は、撮像素子６０２、オートフォーカス用レンズ６０４を備える。ステッピングモータ１０２は、オートフォーカス用レンズ６０４の位置決めを行う。駆動回路２００はステッピングモータ１０２を駆動するこの構成によれば、脱調を防止しながら高効率で、オートフォーカス用レンズ６０４を高精度に位置決めできる。オートフォーカス用レンズの他、手ぶれ補正用のレンズの駆動に駆動回路２００を用いてもよい。あるいは駆動回路２００は、絞り制御に用いてもよい。
【００８６】
図１１（ｃ）の電子機器は、プリンタ７００である。プリンタ７００は、ヘッド７０２、ガイドレール７０４を備える。ヘッド７０２は、ガイドレール７０４に沿って位置決め可能に支持されている。ステッピングモータ１０２は、ヘッド７０２の位置を制御する。駆動回路２００は、ステッピングモータ１０２を制御する。この構成によれば、脱調を防止しながら高効率で、ヘッド７０２を高精度に位置決めできる。ヘッド駆動用のほか、用紙送り機構用のモータの駆動に、駆動回路２００を用いてもよい。
【００８７】
駆動回路２００は、図１１（ａ）〜（ｃ）に示すような民生機器のみでなく、産業機器やロボットも好適に用いることができる。
【００８８】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００８９】
（変形例１）
ロジック回路２７０は、負荷角φが目標角φＲＥＦに近づくように、パルス変調信号Ｓ２のデューティ比を調節することに代えて、あるいはそれと組み合わせて、ブリッジ回路２０２に供給される電源電圧ＶＤＤを調節してもよい。電源電圧ＶＤＤを変化させることにより、ステッピングモータ１０２のコイルＬ１、Ｌ２に供給される電力を変化させることができる。
【００９０】
（変形例２）
実施の形態では、ブリッジ回路２０２がフルブリッジ回路（Ｈブリッジ）で構成される場合を説明したが、それには限定されず、ハーフブリッジ回路で構成されてもよい。またブリッジ回路２０２は、駆動回路２００（２００Ｂ）とは別チップであってもよいし、ディスクリート部品であってもよい。
【００９１】
（変形例３）
高効率モードにおける電流設定値Ｉｙの生成方法は、実施の形態で説明したものに限定されない。たとえば逆起電力ＶＢＥＭＦ１の目標値ＶＢＥＭＦ（ＲＥＦ）を定めておき、逆起電力ＶＢＥＭＦ１が目標値ＶＢＥＭＦ（ＲＥＦ）に近づくように、フィードバックループを構成してもよい。
【００９２】
（変形例４）
実施の形態では２つのコイルに流れる電流ＩＯＵＴ１，ＩＯＵＴ２は、励磁位置に応じてオン、オフされるが、その電流量は、励磁位置によらずに一定であった。この場合、１−２相励磁の場合にトルクが変動することとなる。この制御に変えて、励磁位置にかかわらずトルクが一定となるように電流ＩＯＵＴ１，ＩＯＵＴ２を修正してもよい。たとえば１−２相励磁では、励磁位置２，４，６，８における電流ＩＯＵＴ１，ＩＯＵＴ２の量を、励磁位置１，３，５，７における電流の量の√２倍としてもよい。
【００９３】
（変形例５）
実施の形態ではフィードバックコントローラ２２０をＰＩ制御器で構成したがその限りでなく、ＰＩＤコントローラなどを採用してもよい。
【００９４】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が可能である。
【符号の説明】
【００９５】
Ｌ１  第１コイル
Ｌ２  第２コイル
２  ホストコントローラ
１００  モータシステム
１０２  ステッピングモータ
２００  駆動回路
２０２  ブリッジ回路
２１０  電流値設定回路
ＲＮＦ  検出抵抗
２１２  マルチプレクサ
２１４  加算器
２２０  フィードバックコントローラ
２２２  負荷角推定部
２２４  減算器
２２６  ＰＩ制御器
２３０  逆起電力検出回路
２４０  フィードフォワードコントローラ
２５０  定電流チョッパ回路
２５２  Ｄ／Ａコンバータ
２５４  ＰＷＭコンパレータ
２５６  オシレータ
２５８  フリップフロップ
２７０  ロジック回路
２８０  インタフェース回路
２８８  Ｄ／Ａコンバータ
【図１】
2020141516.tif 000003
【図２】
2020141516.tif 000004
【図３】
2020141516.tif 000005
【図４】
2020141516.tif 000006
【図５】
2020141516.tif 000007
【図６】
2020141516.tif 000008
【図７】
2020141516.tif 000009
【図８】
2020141516.tif 000010
【図９】
2020141516.tif 000011
【図１０】
2020141516.tif 000012
【図１１】
2020141516.tif 000013